(57)【要約】【課題】ゴルフクラブのグリップを乾燥させること【解決手段】ゴルフクラブのグリップの乾燥装置は、ゴルフクラブのグリップを収納するためのチャンバと、エアゾールガスディスペンサーのチャンバからゴルフクラブのグリップチャンバへガスを運ぶ移し替えチューブを備えたエアゾールガスディスペンサーを収納するための隣接するチャンバとを含む。ゴルフクラブのグリップがチャンバ内に挿入されると、グリップがアクチュエータに係合し、次にアクチュエータがエアゾールガスディスペンサーに係合し、エアゾールディスペンサー内に設けられたバルブを開け、ゴルフクラブのグリップのチャンバ内にエアゾールガスを分配し、ゴルフクラブのグリップの表面から湿分を除去し、よってグリップを乾燥させるようにチャンバ内でのゴルフクラブのグリップの移動に応答するアクチュエータが設けられている。【選択図】　図１
2004116910.tif 000002
【特許請求の範囲】
【請求項１】
ａ）内部にゴルフクラブのグリップを収納するような大きさの第１チャンバと、
ｂ）前記第１チャンバに接続されており、除湿ガス源を含む第２チャンバと、ｃ）前記第２チャンバから前記第１チャンバへの除湿ガスの流れを生じさせるためのアクチュエータ手段とを備えたゴルフクラブのグリップの乾燥機。
【請求項２】
前記第１チャンバが底部に開口部を有し、該開口部がこの開口部を通してゴルフクラブのグリップを挿入できる大きさとなっている、請求項１記載の乾燥機。
【請求項３】
前記底部の開口部が折りたたみ自在なスロートによってシールされている、請求項２記載の乾燥機。
【請求項４】
前記折りたたみ自在なスロートがゴム製である、請求項３記載の乾燥機。
【請求項５】
前記第２チャンバがアクセスドアによって閉じることができる底部の開口部を含む、請求項１記載の乾燥機。
【請求項６】
前記除湿ガス源がエアゾール缶を含む、請求項１記載の乾燥機。
【請求項７】
前記アクチュエータ手段が前記缶内に設けられたバルブを開ける、請求項６記載の乾燥機。
【請求項８】
前記アクチュエータ手段が頂部端部および底部端部を有するロッドと、前記頂部端部から前記第１チャンバ内に突出する第１水平ロッドと、前記底部端部から前記第２チャンバ内に突出する第２水平ロッドとを備えた、請求項１記載の乾燥機。
【請求項９】
前記第１チャンバが底部の開口部を有し、該開口部がこの開口部を通してゴルフクラブのグリップを挿入できる大きさとなっている、請求項８記載の乾燥機。
【請求項１０】
前記ロッドが前記底部の開口部に向かって押圧されている、請求項９記載の乾燥機。
【請求項１１】
前記除湿ガス源がエアゾール缶を含む、請求項１０記載の乾燥機。
【請求項１２】
前記第２水平ロッドが前記缶の底部表面に係合する、請求項１１記載の乾燥機。
【請求項１３】
ゴルフクラブのグリップが前記第１水平ロッドに係合すると、前記ゴルフクラブのグリップの上方への運動によって前記ロッドが上方向に移動され、よって第２水平ロッドが前記缶を上方向に移動させ、よって前記缶内のバルブが開放され、前記缶から前記第１チャンバ内にガスが分配される、請求項１０記載の乾燥機。
【請求項１４】
ａ）内部にゴルフクラブのグリップを収納するような大きさの第１チャンバを含み、該第１チャンバがゴルフクラブのグリップを通過できる大きさの第１底部の開口部を有し、前記底部の開口部が折りたたみ自在なスロートによってシール可能であり、
ｂ）前記第１チャンバに接続されており、エアゾール缶を備えた除湿ガス源を含む第２チャンバと、
ｃ）前記第２チャンバから前記第１チャンバへの除湿ガスの流れを生じさせるためのアクチュエータ手段とを備え、該アクチュエータ手段が前記缶内のバルブを開放するようになっている、ゴルフクラブのグリップの乾燥機。
【請求項１５】
前記折りたたみ自在なスロートがゴム製である、請求項１４記載の乾燥機。
【請求項１６】
前記第２チャンバがアクセスドアによって閉じることができる底部開口部を含む、請求項１４記載の乾燥機。
【請求項１７】
前記アクチュエータ手段が頂部端部および底部端部を有するロッドと、前記頂部端部から前記第１チャンバ内に突出する第１水平ロッドと、前記底部端部から前記第２チャンバ内に突出する第２水平ロッドとを備えた、請求項１４記載の乾燥機。
【請求項１８】
前記ロッドが前記底部の開口部に向かって押圧されている、請求項１７記載の乾燥機。
【請求項１９】
前記第２水平ロッドが前記缶の底部表面に係合する、請求項１７記載の乾燥機。
【請求項２０】
ゴルフクラブのグリップが前記第１水平ロッドに係合すると、前記ゴルフクラブのグリップの上方への運動によって前記ロッドが上方向に移動され、よって第２水平ロッドが前記缶を上方向に移動させ、よって前記缶内のバルブが開放され、前記缶から前記第１チャンバ内にガスが分配される、請求項１９記載の乾燥機。
【発明の詳細な説明】
【０００１】
【発明の属する技術分野】
本発明は、超乾燥ゴルフクラブのグリップの乾燥システムに関する。これまでゴルファーはゴルフクラブのグリップを乾燥させるために、ある種のタオルまたはその他の乾燥装置を利用していた。本発明はかかるタオルの使用に対する改良となるよう、ゴルフクラブのグリップを密閉されたチャンバに完全に入れ、エアゾール除湿ガスを使って乾燥できる装置を提供するものである。本発明は、これに鑑み、なされたものである。
【０００２】
【従来の技術】
従来技術としてゴルフクラブのグリップに対するゴルフの握りの安全性を高めるために、ゴルフクラブのグリップを乾燥させることは公知である。本願出願人は次の米国特許が存在することを知っている。
サセルドートに対して発行された米国特許第４，５７０，３５８号
カスバートに対して発行された米国特許第４，９１４，８３２号
ローズに対して発行された米国特許第４，９３４，０６６号
ボッティンガー外に対して発行された米国特許第５，９１８，２５４号
【０００３】
【発明が解決しようとする課題】
しかしながら、これら引用例のいずれも、ゴルフクラブのグリップを密閉チャンバ内に入れ、ゴルフクラブのグリップをチャンバ内に挿入することにより、エアゾールディスペンサーを作動させてエアゾールガスを密閉チャンバに分配し、ゴルフクラブのグリップを除湿し、乾燥させることによる、ゴルフクラブのグリップを乾燥させる原理について教示も示唆もしていない。
【０００４】
本発明は、超乾燥ゴルフクラブのグリップの乾燥システムに関するものであり、本発明は次の相互に関連する目的、様相および特徴を有する。
【０００５】
このように、本発明の第１目的は超乾燥ゴルフクラブのグリップの乾燥システムを提供することにある。
【０００６】
本発明の別の目的は、ゴルフクラブのグリップを密閉チャンバ内に挿入するかかる装置を提供することにある。
【０００７】
本発明の更に別の目的は、ゴルフクラブのグリップを収納する密閉チャンバに流体接続するように、エアゾールガスディスペンサーが設けられたかかるシステムを提供することにある。
【０００８】
本発明の更に別の目的は、密閉チャンバ内にゴルフクラブのグリップを挿入すると、エアゾールガスディスペンサーに連動するバルブが作動し、エアゾールガスディスペンサーを開け、エアゾールガスを密閉チャンバに分配し、ゴルフクラブのグリップの表面を乾燥させるかかるシステムを提供することにある。
【０００９】
【課題を解決するための手段】
（１）　第１の様相によれば、本発明はゴルフクラブのグリップの周辺での確実なシールを維持しながら、ゴルフクラブのグリップを挿入する際に通過できる開口部を有する密閉チャンバを提供せんとするものである。
【００１０】
（２）　この密閉チャンバにはエアゾールガスディスペンサーを含むチャンバが流体接続されている。このエアゾールガスディスペンサーには通路が連動しており、この通路はディスペンサーからゴルフクラブのグリップが挿入された密閉チャンバへエアゾールガスを運ぶようになっている。
【００１１】
（３）　ゴルフクラブのグリップを密閉チャンバ内に挿入すると、エアゾールガスディスペンサーおよびゴルフクラブのグリップに係合するアクチュエータが設けられている。ゴルフクラブのグリップが密閉チャンバ内に挿入されると、グリップはアクチュエータに係合し、アクチュエータは好ましい実施例ではエアゾールガスディスペンサーを作動させ、密閉チャンバ内にエアゾールガスを解放し、ゴルフクラブのグリップを乾燥し、除湿する。
【００１２】
添付図面を参照し、本発明の好ましい実施例の次の詳細な説明を読めば、本発明の上記およびそれ以外の目的、様相および特徴について、より良好に理解できよう。
【００１３】
【発明の実施の形態】
図１〜３を参照する。本発明の好ましい実施例は、ほぼ円筒形をしたハウジングを含む。このハウジングは乾燥チャンバ２の周辺を構成する外側円筒壁１と内側円筒壁４とを有する。チャンバ２内には複数のブラシ３が取り付けられており、これらブラシは、例えばナイロンのような材料から製造できる。チャンバ２はその底部が開口しており、チャンバは特に図１に示されるような複数のスリットを有するゴムスロート６によってシールされており、このスロート６を通してチャンバ２内にゴルフクラブのグリップ１７を挿入できるようになっている。ゴルフクラブのグリップはゴムグロメット５だけでなく、懸架シャフト（詳細には示されず）も含む。
【００１４】
最も一般的な形態、例えば缶として設けられたエアゾールガスディスペンサー９を収納するためのレセプタクル（図３に最良に示されている）を含むエアゾールチャンバ８が、乾燥チャンバ２に隣接して設けられている。このエアゾールガスチャンバは完全に従来のものであり、図１〜３において中空チューブ２１が下方向に押されると、作動されるバルブ（図示せず）を含む。このチャンバ８は開口部を含み、この開口部は任意の適当なラッチ機構を有するヒンジ留めされたドア７によって閉じることができ、よってドアを開け、ねじ切りされたチューブ２１がねじ切りされた固定ノズル１０に螺合された状態でエアゾールガスディスペンサー９をチャンバ８内に挿入し、よってドア７を閉じてチャンバ８をシールできるようになっている。特に図３から判るように、チャンバ８内にはねじ切りされた固定ノズル１０が設けられており、ノズル１０内でのエアゾールガスディスペンサー９の位置を固定するように、ねじ切りされた固定式ノズル１０内にディスペンサー９の中空チューブ２１が螺合される。ノズル１０には移し替えチューブ１１が流体接続されており、このチューブは図１から最良に判るように、エアゾールガスディスペンサーから乾燥チャンバ２内にガスを運ぶようになっている。
【００１５】
特に図１および３を参照すると、作動ロッド１５は、乾燥チャンバ２内に水平に配置された部分と、エアゾールチャンバ８内に水平に配置された部分と、後により詳細に説明する目的のために、上記水平部分を相互に接続する２つのチャンバの交差部に設けられた垂直部分とを含む。このロッド１５はスプリングリテーナー１４の下方に設置されたスプリング１３によって囲まれている。スプリング１３は図においてロッド１５を下方に押圧している。
【００１６】
図１−３から参照して本発明の作動について説明する。ゴルフクラブのグリップを乾燥させたい時に、まず上で述べたようにネジ切りされた固定ノズル１０にエアゾールガスディスペンサー９を設置する。チャンバ８を閉じるように、ドア７をシャット状態にラッチする。次に、折りたたみ自在なゴムスロート６を通過するように、ゴルフクラブのグリップ１７を挿入し、このグリップを図１にて上方向に押し込む。図２において、グリップの頂部が作動ロッド１５の上方水平部分に係合すると、ロッド１５全体が上方向に移動し、よってこのロッドの下方水平部分がエアゾールガスディスペンサー９の底部に係合し、よってエアゾールガスディスペンサー９を図において上方向に移動させる。このようなことが起きると、チューブ２１は固定されたままであり、エアゾールガスディスペンサーの容器はチューブ２１に対して上方向に移動し、ディスペンサー９内のバルブ（図示せず）を開け、エアゾールガスがノズル１０を通り、移し替えチューブ１１を通って乾燥チャンバ２内へ流入できるようにする。このとき、エアゾールガスがゴルフクラブのグリップを囲み、これを完全に乾燥させる。
【００１７】
ゴルフクラブのグリップ１７が乾燥チャンバ２内で上方向に移動する際に、上記のようなすべてのことが生じるが、グリップ１７がチャンバ２内で上方向に移動する際にゴルフクラブのグリップを乾燥チャンバ２内で正しく整合させ、安定性を与えるためのブラシ３が設けられている。
【００１８】
チャンバ８内にエアゾールガスディスペンサー９を設置する際に、作動ロッド１５は図２から判るようにドア７の高さより下方で下方向に引かれ、よって下方の水平ロッドはドア７を通ってアクセス開口部の通路から外れるように回転でき、よってエアゾールガスディスペンサー９を図２内の矢印が示す移動方向にチャンバ８内に挿入できる。所望する時間の間、ディスペンサー９からエアゾールガスが分配されると、チャンバ２内でゴルフクラブのグリップ１７を下げ、附勢ロッド１５の下方水平部分を解放し、よってエアゾールガスディスペンサー内のバルブ（図示せず）を閉じ、チューブ１１を通るエアゾールガスの流れが終了したチャンバ２からゴルフクラブのグリップを引き抜くことができる。こうしてゴルフクラブのグリップは乾燥され、すぐに使用できる状態となる。
【００１９】
本発明の一実施例では、円筒形チャンバは長さを約３５．６ｃｍ（約１４インチ）とし、直径を約５．１ｃｍ（約２インチ）とすることができる。エアゾールガスディスペンサーのチャンバ８は長さを約２５．６ｃｍ（約１０インチ）とし、直径を約５．１ｃｍ（約２インチ）とすることができる。エアゾールガスディスペンサー９から分配されるガスが物体から湿分を除くことによって物体を乾燥するために使用するのに、当業者に周知となっているような任意のタイプのものでよい。
【００２０】
このように、上記のような本発明の目的の各々およびどれも満たす本発明の好ましい実施例を参照して、本発明について開示した。本発明は新規性および有用性の大なる新しい有効な超乾燥ゴルフクラブのグリップ乾燥システムを提供するものである。
【００２１】
当然ながら、当業者であれば、本発明の要旨から逸脱することなく、本発明の内容を種々変更したり、変形することが可能であろう。
【００２２】
このように、本発明は特許請求の範囲の用語によってのみ限定されるものである。
【図面の簡単な説明】
【図１】本発明の好ましい実施例の一部を横断面にした側面図である。
【図２】ゴルフクラブのグリップの移動およびその結果生じるエアゾールガスディスペンサーの作動位置への移動を示す、図１に類似した図である。
【図３】エアゾールガスディスペンサーと本発明の装置との相互接続方法を示す、一部を横断面図とし、一部を分解した拡大図である。
【符号の説明】
１　　外側円筒壁
２　　乾燥チャンバ
３　　ナイロンブラシ
４　　内側円筒壁
５　　ゴムグロメット
６　　折りたたみ自在なゴムスロート
７　　スライドラッチを有するヒンジ留めされたドア
８　　エアゾールチャンバ
９　　湿分を散逸させるエアゾールスプレー
１０　ねじ切りされた固定ノズル
１１　　移し替えチューブ
１２　　固定キャップ
１３　　スプリング
１４　　スプリングリテーナー
１５　　作動ロッド
１６　　固定キャップ
１７　　ゴルフクラブのグリップ
【図１】
2004116910.tif 000003
【図２】
2004116910.tif 000004
【図３】
2004116910.tif 000005